(57)【要約】  コマンド又は信号装置のアクチュエータ及び／又はスイッチ装置であって、アクチュエータはスイッチ装置と相互に作用する目的で備えられ、スイッチ装置はアクチュエータと共に作動する目的で備えられ、スイッチ装置はスイッチング及び／又は接触によって導電接続を確立するように構成される。アクチュエータ及び／又はスイッチ装置は、アクチュエータの一部分及び／又はスイッチ装置の一部分にＲＦＩＤ要素が備えられ、ＲＦＩＤ要素は、コマンド又は信号装置に関する情報、及び／又は、コマンド又は信号装置の個々の部分からの情報を、読み取り可能な態様で記録する記憶手段を有することを特徴とする。
2019507476.tif 000002
【特許請求の範囲】
【請求項１】
コマンド又は信号装置（７）のアクチュエータ（１）であって、
前記アクチュエータ（１）はスイッチ装置（８）と相互に作用する目的で備えられ、
前記スイッチ装置（８）はスイッチング及び／又は接触によって導電接続を確立するように構成され、
前記アクチュエータ（１）の部分（２、３）にＲＦＩＤ要素（４ａ−４ｃ、５ａ−５ｃ）が備えられ、
前記ＲＦＩＤ要素（４ａ−４ｃ、５ａ−５ｃ）は、前記コマンド又は信号装置（７）に関する情報、及び／又は、前記コマンド又は信号装置（７）の個々の部分（１−３、８、１６）からの情報を、読み取り可能な態様で記録する記憶手段を有することを特徴とする、コマンド又は信号装置（７）のアクチュエータ（１）。
【請求項２】
前記ＲＦＩＤ要素（４ａ−４ｃ、５ａ−５ｃ）は、前記アクチュエータ（１）の部分（２、３）に埋め込まれることを特徴とする、請求項１に記載のコマンド又は信号装置（７）のアクチュエータ（１）。
【請求項３】
前記アクチュエータ（１）は、緊急停止スイッチ及び／又は緊急停止ボタン用のアクチュエータ（１）であることを特徴とする、請求項１又は２に記載のコマンド又は信号装置（７）のアクチュエータ（１）。
【請求項４】
前記ＲＦＩＤ要素（４ａ−４ｃ、５ａ−５ｃ）は、前記アクチュエータ（１）の使用者から前記ＲＦＩＤ要素（４ａ−４ｃ、５ａ−５ｃ）が見えないように、前記アクチュエータ（１）の部分（２、３）に取り付けられることを特徴とする、請求項１〜３のいずれか一項に記載のコマンド又は信号装置（７）のアクチュエータ（１）。
【請求項５】
前記ＲＦＩＤ要素（４ａ−４ｃ、５ａ−５ｃ）は、前記アクチュエータ（１）の環境の影響及び／又は動作の影響から保護されるように、前記アクチュエータ（１）の部分（２、３）に形成されることを特徴とする、請求項１〜４のいずれか一項に記載のコマンド又は信号装置（７）のアクチュエータ（１）。
【請求項６】
前記ＲＦＩＤ要素（４ａ−４ｃ、５ａ−５ｃ）は能動トランスポンダとして構成されることを特徴とする、請求項１〜５のいずれか一項に記載のコマンド又は信号装置（７）のアクチュエータ（１）。
【請求項７】
コマンド又は信号装置（７）のスイッチ装置（８）であって、
前記スイッチ装置（８）は、スイッチング及び／又は接触によって導電接続を確立するように構成され、
前記スイッチ装置（８）は、アクチュエータ（１）と共に作動する目的で備えられ、
前記スイッチ装置（８）の部品（１６）にＲＦＩＤ要素（１４，１７）が備えられ、
前記ＲＦＩＤ要素（１４，１７）は、前記コマンド又は信号装置（７）に関する情報、及び／又は、前記コマンド又は信号装置（７）の個々の部分（１−３、８、１６）からの情報を、読み取り可能な態様で記録する記憶手段を有することを特徴とする、コマンド又は信号装置（７）のスイッチ装置（８）。
【請求項８】
前記ＲＦＩＤ要素（１４，１７）は、前記スイッチ装置（８）の部品（１６）に埋め込まれることを特徴とする、請求項７に記載のコマンド又は信号装置（７）のスイッチ装置（８）。
【請求項９】
前記スイッチ装置（８）は、緊急停止スイッチ及び／又は緊急停止ボタン用のスイッチ装置（８）であることを特徴とする、請求項７又は８に記載のコマンド又は信号装置（７）のスイッチ装置（８）。
【請求項１０】
前記ＲＦＩＤ要素（１４，１７）は、前記スイッチ装置（８）の使用者から前記ＲＦＩＤ要素（１４，１７）が見えないように、前記スイッチ装置（８）の部品（１６）に取り付けられることを特徴とする、請求項７〜９のいずれか一項に記載のコマンド又は信号装置（７）のスイッチ装置（８）。
【請求項１１】
前記ＲＦＩＤ要素（１４，１７）は、環境の影響及び／又は動作の影響から保護されるように、前記スイッチ装置（８）の部品（１６）に形成されることを特徴とする、請求項７〜１０のいずれか一項に記載のコマンド又は信号装置（７）のスイッチ装置（８）。
【請求項１２】
前記ＲＦＩＤ要素（１４，１７）は、能動トランスポンダとして構成されることを特徴とする、請求項７〜１１のいずれか一項に記載のコマンド又は信号装置（７）のスイッチ装置（８）。
【請求項１３】
請求項１〜１２のいずれか一項に記載のアクチュエータ（１）及び／又はスイッチ装置（８）を有するコマンド又は信号装置（７）。
【発明の詳細な説明】
【発明の詳細な説明】
【０００１】
本発明は、請求項１のプリアンブルに記載のコマンド又は信号装置のアクチュエータ、請求項７のプリアンブルに記載のコマンド又は信号装置のスイッチ装置、及び請求項１３に記載のスイッチ装置及び／又はアクチュエータを有するコマンド又は信号装置に関する。
【０００２】
［従来技術］
電気的接続を切り替える既知のコマンド又は信号装置は、アクチュエータと、スイッチ装置とを備える。アクチュエータ及びスイッチ装置は、いずれも例えば彫刻、印影、又はシールを用いた、シンボルやマークによる表示が付されている。これにより、対応する部分が識別可能になっている。こうしたマークはコマンド又は信号装置の使用中に摩耗し、又は汚れにさらされ、結果として認識不可能となる。
【０００３】
［発明の目的および利点］
本発明は、冒頭部分に記載した様式の、高い機能信頼性や機能安全性を有するアクチュエータ及び／又はスイッチ装置を提供するという目的に基づく。この目的は請求項１、７、及び１３に記載の特徴により実現される。
【０００４】
従属項では、本発明の有利且つ適切な展開を特定する。
本発明の起点は、コマンド又は信号装置のアクチュエータ及び／又はスイッチ装置であって、アクチュエータはスイッチ装置と相互に作用する目的で備えられ、スイッチ装置は、スイッチング及び／又は接触によって導電接続を確立するように構成され、スイッチ装置は、アクチュエータと共に作動する目的で備えられる。
【０００５】
アクチュエータは、例えば押しボタン及び／又はスイッチの形状であり、人によって始動されることを意図して構成される。始動されると、アクチュエータは、スイッチ装置が導電接続を切り替えるようにスイッチ装置と相互作用する。
【０００６】
本発明の本質は、アクチュエータの一部分及び／又はスイッチ装置の一部品にＲＦＩＤ要素が用いられ、当該ＲＦＩＤ要素が、コマンド又は信号装置に関する情報、及び／又は、コマンド又は信号装置における複数の個々の部分からの情報を、読み取り可能な態様で記録する記憶手段を有することにある。
【０００７】
ＲＦＩＤ要素とは、トランスポンダの機能を少なくとも１つ有する、いわゆる無線自動識別装置（ＲＦＩＤ）を備えるモジュールを指す。有利には、ＲＦＩＤ要素はアンテナと、具体的にはアナログ回路である受信及び／又は送信のための回路、及び／又は、具体的にはデジタル回路である回路と、永久記憶手段とを備える。
【０００８】
好ましくは、ＲＦＩＤ要素は、ＮＦＣ（近距離無線通信）プロトコルの１つを使用して動作する。
例えば、アクチュエータ又はスイッチ装置は、コマンド又は信号装置における独立した部分とみなすことができる。
【０００９】
有利には、アクチュエータ及び／又はスイッチ装置に関する情報、及び／又は、コマンド又は信号装置に関する情報は、例えば、アクチュエータ及び／又はスイッチ装置の製造過程、輸送過程、及び／又は、保管過程など、いつでもＲＦＩＤ要素の記憶手段に記録できる。
【００１０】
有利には、記憶手段はアクチュエータ及び／又はスイッチ装置、及び／又は、コマンド又は信号装置に関する製造特定情報を記録する。製造特定情報は、例えば、材料、製造者又は供給者、バッチ番号、通し番号、製造日又は製造年、ＲＡＬ番号又は色名、塗装評価及び／又は安全度評価、に関する情報である。
【００１１】
記憶手段は、アクチュエータ及び／又はスイッチ装置、及び／又は、コマンド又は信号装置の保管に関する情報を記録することも考えられる。保管に関する情報は、例えば、温度、湿度、及び／又は、物理的振動又は保管時間などの環境条件である。例えば、記憶手段は輸送に関する情報を記憶してもよい。輸送に関する情報は、例えば、アクチュエータ及び／又はスイッチ装置の温度、湿度、物理的振動、輸送時間、輸送会社名、及び／又は、輸送ルートである。
【００１２】
具体的には、コマンド又は信号装置のアクチュエータ及び／又はスイッチ装置にＲＦＩＤ要素を備えることと、有利には、入手可能な全ての情報をＲＦＩＤ要素の記憶手段に記録することとにより、完全なトレーサビリティが確保される。その結果、例えば、アクチュエータの欠陥部分又は脆弱部分、及び／又は、スイッチ装置の欠陥部品又は脆弱部品がより簡単かつ迅速に特定できる。したがって、アクチュエータ及び／又はスイッチ装置の機能を損なう、安全に関連し得る事象が起きる前に、例えば、このような欠陥又は脆弱部分、及び／又は、欠陥又は脆弱部品が実装されたコマンド又は信号装置の特定、アクチュエータの欠陥又は脆弱部分、及び／又は、スイッチ装置の欠陥又は脆弱部品の交換、又は、コマンド又は信号装置の交換を行うことができる。
【００１３】
さらに、記憶手段を読み取り、それによってＲＦＩＤ要素に記録された情報を読み取ることで、アクチュエータ及び／又はスイッチ装置の保管及び／又は輸送をコントロールすることも考えられる。例えば、当該情報を読み取ることで、利用可能なアクチュエータ及び／又はスイッチ装置の数を、比較的簡潔で迅速な方法で判断することができる。また、アクチュエータ及び／又はスイッチ装置の異なる種類の数を特定することも考えられる。その他の比較的迅速で簡潔な分類及び／又は特定の形態も考えられる。これにより、例えば、製造者、輸送会社、及び／又は、販売会社にとって、保管及び／又は輸送が簡素化される。
【００１４】
また、好ましくは、製造者及び／又は輸送会社及び／又は販売会社にのみ必要な情報が、暗号化されて及び／又は分離してＲＦＩＤ要素の記憶手段に記録されることができる。これにより、ある作業に必要な情報のみを、対応する会社又は対応する人物に提供することができる。
【００１５】
好ましくは、ＲＦＩＤ要素は、アクチュエータのスイッチング及び／又は接触要素に実装される。ＲＦＩＤ要素が、アクチュエータ及び／又はスイッチ装置におけるハウジング又はタペットに形成されることも考えられる。
【００１６】
アクチュエータ及び／又はスイッチ装置の別の中心的な構成では、ＲＦＩＤ要素が、アクチュエータの一部分の面、例えばコンタクトノブ又はスイッチレバーに、及び／又は、スイッチ装置の一部品の面、例えばハウジング面に、例えば接着又はクランプによって取り付けられる。
【００１７】
また、ＲＦＩＤ要素がアクチュエータ及び／又はスイッチ装置に実装されたとき、例えば、ＲＦＩＤ要素を少なくとも大部分覆う及び／又は囲む保護フィルムによって、ＲＦＩＤ要素が湿気又は機械的負荷などの環境の影響から保護されることも、同様に重要である。
【００１８】
アクチュエータ及び／又はスイッチ装置の有利な構成の１つでは、ＲＦＩＤ要素はアクチュエータの一部分及び／又はスイッチ装置の一部品に埋め込まれる。例えば、アクチュエータの一部分及び／又はスイッチ装置の一部品は内部にＲＦＩＤ要素を含んで成形される。
【００１９】
有利には、当該部分及び／又は当該部品は、プラスチック、金属、又はそれらを組み合わせた材料で構成され、例えば、成形加工又は焼結加工により製造され、具体的には、射出成形加工によって製造される。
【００２０】
当該部分及び／又は当該部品は特定が可能であり、当該部分及び／又は当該部品の真偽は、ＲＦＩＤ要素の記憶手段に記録された情報を比較的簡潔な方法で読み取ることにより確認できるため、上記構成によりアクチュエータ及び／又はスイッチ装置の偽造防止が向上する。
【００２１】
さらに有利には、アクチュエータは緊急停止スイッチ及び／又は緊急停止ボタン用のアクチュエータであり、及び／又は、スイッチ装置は緊急停止スイッチ及び／又は緊急停止ボタン用のスイッチ装置である。
【００２２】
また、明らかに有利には、ＲＦＩＤ要素が、アクチュエータ及び／又はスイッチ装置、又は、コマンド又は信号装置の使用者から見えないように、アクチュエータの一部分及び／又はスイッチ装置の一部品に取り付けられる。
【００２３】
ＲＦＩＤ要素がアクチュエータ及び／又はスイッチ装置に備えられるため、好ましくは、アクチュエータ及び／又はスイッチ装置、又は、コマンド又は信号装置に、さらなる視覚的なマークを付す必要はない。その結果、当該部分及び／又は当該部品は、具体的には、全体的な印象に不利に干渉する、及び／又は、使用しているうちに汚れる及び／又は判読できなくなるような可視マークを使用することなく、視覚的に有利なデザインを有することができる。
【００２４】
アクチュエータ及び／又はスイッチ装置の有利な変形では、ＲＦＩＤ要素は、アクチュエータ及び／又はスイッチ装置の環境の影響及び／又は動作の影響からＲＦＩＤ要素が保護されるようにアクチュエータの一部分及び／又はスイッチ装置の一部品に形成される。これにより、確実にＲＦＩＤ要素の機能が比較的長持ちし、アクチュエータの欠陥及び／又は脆弱部分、及び／又はスイッチ装置の欠陥及び／又は脆弱部品が、具体的にはいつでも、特定される。
【００２５】
さらなる提案としては、アクチュエータ及び／又はスイッチ装置のＲＦＩＤ要素が、能動トランスポンダとして構成される。
好ましくは、ＲＦＩＤ要素は、ＲＦＩＤ要素又はＲＦＩＤ要素の少なくとも１つの送信機にエネルギーを供給するエネルギー貯蔵装置を備え、結果としてＲＦＩＤ要素は自動的に情報を送信及び／又は受信することができる。
【００２６】
また、ＲＦＩＤ要素が、例えば、スイッチング動作及び／又は接触動作の回数や、周辺センサの環境温度及び／又は環境湿度などの、アクチュエータの動作状態及び／又はスイッチ装置の動作状態に関する情報の読み取り及び／又は受信が可能であり、当該情報を記憶手段に記録することが可能な演算装置（コンピュータ）を備えて構成されることも考えられる。結果として、例えば、アクチュエータ及び／又はスイッチ装置の磨耗を、例えば、コマンド及び信号装置のスイッチング動作及び／又は接触動作の回数に基づいて検出することが可能となる。
【００２７】
また、ＲＦＩＤ要素が、アクチュエータ及び／又はスイッチ装置の通電要素と導電接続し、この接続を介して、エネルギーの供給及び／又はコマンド又は信号装置に関する情報、例えば動作状態に関する情報の提供を受けることも考えられる。
【図面の簡単な説明】
【００２８】
以下、添付の概略的な図面に基づき、さらなる詳細と利点を示しつつ、本発明の例示的実施形態をより詳細に説明する。
【図１】本発明に係るアクチュエータを斜め上方から見た斜視図を示す。
【図２】図１におけるアクチュエータの回転軸に沿った側断面図を示す。
【図３】本発明に係るスイッチ装置を斜め上方から見た斜視図を示す。
【図４】図１におけるアクチュエータと、図３におけるスイッチ装置とを備える本発明に係るコマンド及び／又は信号装置を、斜め上方から見た斜視図を示す。
【発明を実施するための形態】
【００２９】
本発明に係るアクチュエータ１は緊急停止ボタンとして備えられ、ハウジング２と、コンタクトノブ３（図１、２）として備えられる接触要素と、を備える。コンタクトノブ３は、アクチュエータ１のハウジング２に対して移動可能に設計される。
【００３０】
アクチュエータ１は、例えばハウジング２の下側５の領域に、ＲＦＩＤ要素４ａ、４ｂ、４ｃを備える。図示されているように、例えば、ＲＦＩＤ要素４ｂはハウジング２の外側１８に形成されてもよく、ＲＦＩＤ要素４ｃはハウジング２の内側１９に取り付けることもできる。又は、ＲＦＩＤ要素４ｂはハウジング２のハウジング壁部６内に形成されてもよい。この構成により、有利には、接触要素（図示せず）を介してＲＦＩＤ要素４ａ、４ｂ、４ｃに電気的エネルギーを供給することが可能になる。これを実現するため、接触要素は、例えば、コマンド及び／又は信号装置７が組み立てられた状態（図４）で、スイッチ装置８のエネルギー供給部品（図３）と導電接続をする。
【００３１】
理想的には、例えばアクチュエータ１のコンタクトノブ３に、別のＲＦＩＤ要素５ａ、５ｂ、５ｃが形成されてもよい。ＲＦＩＤ要素５ａは、コンタクトノブ４の、例えば外面９に、例えば接着によって取り付けられる。ＲＦＩＤ要素５ｃも、例えばコンタクトノブ４の内面１０に配置されることができる。又は、ＲＦＩＤ要素５ｂは、例えばコンタクトノブ４の壁１１に、例えば成形又は埋め込みによって導入される。
【００３２】
図示されているように、例えば、内面１０に取り付けられたＲＦＩＤ要素５ｃは、それを覆うように付着された保護フィルム１２を有する。保護フィルム１２は、具体的にはコンタクトノブ４に配置されたＲＦＩＤ要素５ｃに対して、液体、例えばペイントの形で塗布されてもよい。
【００３３】
本発明に係るスイッチ装置８には、例えば、スイッチ装置８のハウジング１６の外側１５に配置されたＲＦＩＤ要素１４が示されている。別の実施形態では、ＲＦＩＤ要素１７が例えばユーザーから見えないように、ＲＦＩＤ要素１７を内部に含むようにスイッチ装置８のハウジング１６を成形することができる（図３、４）。
【００３４】
［参照符号の説明］
１    アクチュエータ
２    ハウジング
３    コンタクトノブ
４ａ〜４ｃ    ＲＦＩＤ要素
５ａ〜５ｃ    ＲＦＩＤ要素
６    ハウジング壁部
７    コマンド及び／又は信号装置
８    スイッチ装置
９    面
１０    面
１１    壁
１２    保護フィルム
１３    下部
１４    ＲＦＩＤ要素
１５    外側
１６    ハウジング
１７    ＲＦＩＤ要素
１８    外側
１９    内側
【図１】
2019507476.tif 000003
【図２】
2019507476.tif 000004
【図３】
2019507476.tif 000005
【図４】
2019507476.tif 000006
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
緊急停止スイッチ及び／又は緊急停止ボタン（７）のアクチュエータ（１）であって、
前記アクチュエータ（１）はスイッチ装置（８）と相互に作用する目的で備えられ、
前記スイッチ装置（８）はスイッチング及び／又は接触によって導電接続を確立するように構成され、
前記アクチュエータ（１）の部分（２、３）にＲＦＩＤ要素（４ａ−４ｃ、５ａ−５ｃ）が備えられ、
前記ＲＦＩＤ要素（４ａ−４ｃ、５ａ−５ｃ）は、前記緊急停止スイッチ及び／又は前記緊急停止ボタン（７）に関する情報、及び／又は、前記緊急停止スイッチ及び／又は前記緊急停止ボタン（７）の個々の部分（１−３、８、１６）からの情報を、読み取り可能な態様で記録する記憶手段を有し、
前記情報は、材料、製造者、バッチ番号、通し番号、製造日及び／又は製造年であることを特徴とする、緊急停止スイッチ及び／又は緊急停止ボタン（７）のアクチュエータ（１）。
【請求項２】
前記緊急停止スイッチ及び／又は緊急停止ボタン（７）に関する情報は、いつでも前記記憶手段に記録できることを特徴とする、請求項１に記載の緊急停止スイッチ及び／又は緊急停止ボタン（７）のアクチュエータ（１）。
【請求項３】
前記ＲＦＩＤ要素（４ａ−４ｃ、５ａ−５ｃ）は、前記アクチュエータ（１）の部分（２、３）に埋め込まれることを特徴とする、請求項１に記載の緊急停止スイッチ及び／又は緊急停止ボタン（７）のアクチュエータ（１）。
【請求項４】
前記ＲＦＩＤ要素（４ａ−４ｃ、５ａ−５ｃ）は、前記アクチュエータ（１）の使用者から前記ＲＦＩＤ要素（４ａ−４ｃ、５ａ−５ｃ）が見えないように、前記アクチュエータ（１）の部分（２、３）に取り付けられることを特徴とする、請求項１〜３のいずれか一項に記載の緊急停止スイッチ及び／又は緊急停止ボタン（７）のアクチュエータ（１）。
【請求項５】
前記ＲＦＩＤ要素（４ａ−４ｃ、５ａ−５ｃ）は、前記アクチュエータ（１）の環境の影響及び／又は動作の影響から保護されるように、前記アクチュエータ（１）の部分（２、３）に形成されることを特徴とする、請求項１〜４のいずれか一項に記載の緊急停止スイッチ及び／又は緊急停止ボタン（７）のアクチュエータ（１）。
【請求項６】
前記ＲＦＩＤ要素（４ａ−４ｃ、５ａ−５ｃ）は能動トランスポンダとして構成されることを特徴とする、請求項１〜５のいずれか一項に記載の緊急停止スイッチ及び／又は緊急停止ボタン（７）のアクチュエータ（１）。
【請求項７】
請求項１〜６のいずれか一項に記載のアクチュエータ（１）を備える、緊急停止スイッチ及び／又は緊急停止ボタン（７）。
【国際調査報告】
2019507476.tif 000007
2019507476.tif 000008
2019507476.tif 000009
2019507476.tif 000010
2019507476.tif 000011
2019507476.tif 000012